【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
メモリ及びプロセッサを備える磁気共鳴イメージングシステムであって、
前記メモリは、
マシン実行可能命令及びＭＲＦパルスシーケンスコマンドを記憶するためのメモリであって、前記ＭＲＦパルスシーケンスコマンドは、前記磁気共鳴イメージングシステムを制御して、磁気共鳴フィンガプリンティングプロトコルに従って、ＭＲＦ磁気共鳴データを取得し、前記メモリは更に、フーリエ変換された磁気共鳴フィンガプリンティング辞書を含み、前記フーリエ変換された磁気共鳴フィンガプリンティング辞書は、少なくとも１つの固有の特性のためのエントリを備え、
前記プロセッサは、
前記磁気共鳴イメージングシステムを制御するためのプロセッサであって、前記マシン実行可能命令の実行により、
前記ＭＲＦパルスシーケンスコマンドで前記磁気共鳴イメージングシステムを制御することにより、関心領域を記述するＭＲＦ磁気共鳴データを取得し、前記関心領域は、ボクセルに分割され、
前記ＭＲＦ磁気共鳴データを使用して、前記ボクセルの各々のＭＲＦ信号を構成し、
前記ＭＲＦ信号を、前記ボクセルの各々の時間周波数スペクトル分布に時間フーリエ変換することにより、フーリエ変換されたＭＲＦ信号を構成し、
前記フーリエ変換されたＭＲＦ信号と、前記フーリエ変換された磁気共鳴フィンガプリンティング辞書とを使用して、前記ボクセルの各々の前記少なくとも１つの固有の特性を決定し、前記フーリエ変換されたＭＲＦ信号は、前記少なくとも１つの固有の特性を決定する前に、時間周波数領域で、所定のターム数に切り捨てられる、磁気共鳴イメージングシステム。
【請求項２】
前記少なくとも１つの固有の特性は、結合されたＴ１値及びＴ２値を備え、前記少なくとも１つの固有の特性を決定するステップは、前記フーリエ変換されたＭＲＦ信号と、前記フーリエ変換された磁気共鳴フィンガプリンティング辞書における結合されたＴ１値及びＴ２値の行列とを使用して、前記ボクセルの各々について、結合されたＴ１値及びＴ２値を決定するステップを有する、請求項１に記載の磁気共鳴イメージングシステム。
【請求項３】
前記フーリエ変換された磁気共鳴フィンガプリンティング辞書は、Ｔ１値及びＴ２値の前記行列の各々について、モデル化されたフーリエ変換されたＭＲＦ信号を備え、更に、前記結合されたＴ１値及びＴ２値の前記モデル化されたフーリエ変換されたＭＲＦ信号と、前記フーリエ変換されたＭＲＦ信号との間の各ボクセルのスケーリング係数を計算することにより、プロトン密度マップを構成する、請求項２に記載の磁気共鳴イメージングシステム。
【請求項４】
前記フーリエ変換された磁気共鳴フィンガプリンティング辞書は更に、所定の物質のセットのエントリを備え、前記マシン実行可能命令の実行により更に、前記プロセッサは、前記所定の物質のセットのエントリと、前記フーリエ変換されたＭＲＦ信号とを使用して、前記ボクセルの各々についてボクセル内成分マッピングを計算し、前記マシン実行可能命令の実行により更に、前記プロセッサは、前記ボクセル内成分マッピングを使用して前記プロトン密度マップをスケーリングすることにより、総水分量マップを計算する、請求項３に記載の磁気共鳴イメージングシステム。
【請求項５】
前記所定の物質は脂肪を備え、前記ボクセル内成分マッピングを計算するステップは、脂肪マッピングを決定するステップを有し、前記マシン実行可能命令の実行により更に、前記プロセッサは、前記脂肪マッピングを使用して前記総水分量マップを補正する、請求項４に記載の磁気共鳴イメージングシステム。
【請求項６】
前記所定の物質は、脳脊髄液を備え、前記マシン実行可能命令の実行により更に、前記プロセッサは、前記ボクセル内成分マッピングにおいて、所定のしきい値を上回る前記脳脊髄液の一部を有するボクセルを識別することにより、ＣＳＦボクセルを、少なくとも部分的に識別し、前記ＣＳＦボクセルを使用して決定されたスケーリング係数を使用して、前記プロトン密度マップから前記総水分量マップへのスケーリングが実行される、請求項４に記載の磁気共鳴イメージングシステム。
【請求項７】
前記所定の物質は、脳脊髄液を備え、前記ボクセルの各々の前記ボクセル内成分マッピングは、前記フーリエ変換されたＭＲＦ信号と、前記所定の物質のセットのエントリとの内積を最大化することによって計算され、前記マシン実行可能命令の実行により更に、前記プロセッサは、前記フーリエ変換されたＭＲＦ信号と、前記フーリエ変換された磁気共鳴フィンガプリンティング辞書における前記脳脊髄液のエントリとの内積が、所定のしきい値を上回るボクセルを識別することにより、少なくとも部分的にＣＳＦボクセルを識別し、前記ＣＳＦボクセルを使用して決定されたスケーリング係数を使用して、前記プロトン密度マップの前記総水分量マップへのスケーリングが実行される、請求項４に記載の磁気共鳴イメージングシステム。
【請求項８】
前記磁気共鳴イメージングシステムは、所定の水分濃度を有するサンプルを備え、前記マシン実行可能命令の実行により更に、前記プロセッサは、前記ボクセル内成分マッピングにおいて前記サンプルを含むボクセルを識別し、前記プロトン密度マップから前記総水分量マップへのスケーリングは、前記サンプルを含むボクセルを使用して決定されたスケーリング係数を使用して実行される、請求項４に記載の磁気共鳴イメージングシステム。
【請求項９】
前記所定の物質は、灰白質を備え、前記所定の物質は、白質を備え、前記マシン実行可能命令の実行により、前記プロセッサは、
組成マッピングにおいて所定の灰白質濃度を上回るボクセルを識別することにより、ＧＭマスクを計算し、
前記ボクセル内成分マッピングにおいて所定の白質濃度を上回るボクセルを識別することにより、ＷＭマスクを計算し、
前記ＧＭマスク及び前記ＷＭマスクによって識別されるボクセルにおける信号変動を低減させる関数を、前記プロトン密度マップに適合させることにより、バイアス場で前記プロトン密度マップを補正する、請求項４に記載の磁気共鳴イメージングシステム。
【請求項１０】
前記所定の物質は、脳脊髄液を備え、前記所定の物質は、灰白質を備え、前記所定の物質は、白質を備え、前記マシン実行可能命令の実行により、前記プロセッサは、
組成マッピングにおいて所定の灰白質濃度を上回るボクセルを識別することにより、ＧＭマスクを計算し、
前記ボクセル内成分マッピングにおいて所定の白質濃度を上回るボクセルを識別することにより、ＷＭマスクを計算し、
濃度マッピングを使用して擬似プロトン密度マップを計算し、
前記ＧＭマスク及び前記ＷＭマスクによって識別されるボクセルにおける信号変動を低減させる関数を前記擬似プロトン密度マップに適合させることにより、バイアス場で前記プロトン密度マップを補正する、請求項４に記載の磁気共鳴イメージングシステム。
【請求項１１】
前記メモリは更に、Ｂ１＋マッピング磁気共鳴イメージングプロトコルに従って、Ｂ１＋マッピング磁気共鳴データを取得するためのＢ１＋マッピングパルスシーケンスコマンドを含み、前記マシン実行可能命令の実行により更に、前記プロセッサは、
前記Ｂ１＋マッピングパルスシーケンスコマンドで前記磁気共鳴イメージングシステムを制御することにより、前記Ｂ１＋マッピング磁気共鳴データを取得し、
Ｂ１＋マッピング磁気共鳴イメージングプロトコルに従って、前記Ｂ１＋マッピング磁気共鳴データを使用して、Ｂ１＋マッピングを構成し、
前記Ｂ１＋マッピングを使用してプロトン密度マップを補正する、請求項２に記載の医療イメージングシステム。
【請求項１２】
前記少なくとも１つの固有の特性はＢ１＋値を備え、前記マシン実行可能命令の実行により、前記プロセッサは、
前記ＭＲＦ磁気共鳴データと、前記フーリエ変換された磁気共鳴フィンガプリンティング辞書とを使用して、Ｂ１＋マップを再構成し、
前記Ｂ１＋マッピングを使用してプロトン密度マップを補正する、請求項２に記載の医療イメージングシステム。
【請求項１３】
前記フーリエ変換された磁気共鳴フィンガプリンティング辞書は更に、所定の物質のセットのエントリを備え、前記少なくとも１つの固有の特性を決定するステップは、前記所定の物質のセットの前記エントリと、前記フーリエ変換されたＭＲＦ信号とを使用して、前記ボクセルの各々のボクセル内成分マッピングを計算するステップを有する、請求項１に記載の磁気共鳴イメージングシステム。
【請求項１４】
磁気共鳴イメージングシステムを動作させる方法であって、前記方法は、
ＭＲＦパルスシーケンスコマンドで前記磁気共鳴イメージングシステムを制御することにより、関心領域を記述するＭＲＦ磁気共鳴データを取得するステップであって、前記ＭＲＦパルスシーケンスコマンドは、前記磁気共鳴イメージングシステムを制御して、磁気共鳴フィンガプリンティングプロトコルに従って、ＭＲＦ磁気共鳴データを取得し、前記関心領域は、ボクセルに分割される、取得するステップと、
前記ＭＲＦ磁気共鳴データを使用して、前記ボクセルの各々のＭＲＦ信号を構成するステップと、
前記ＭＲＦ信号を、前記ボクセルの各々の時間周波数スペクトル分布に時間フーリエ変換することにより、フーリエ変換されたＭＲＦ信号を構成するステップと、
前記フーリエ変換されたＭＲＦ信号と、フーリエ変換された磁気共鳴フィンガプリンティング辞書とを使用して、前記ボクセルの各々の少なくとも１つの固有の特性を決定するステップであって、前記フーリエ変換された磁気共鳴フィンガプリンティング辞書は、前記少なくとも１つの固有の特性のエントリを備え、前記フーリエ変換されたＭＲＦ信号は、前記少なくとも１つの固有の特性を決定する前に、時間周波数領域で、所定のターム数に切り捨てられる、決定するステップとを有する、方法。
【請求項１５】
磁気共鳴イメージングシステムを制御するプロセッサによる実行のための非一時的コンピュータ可読媒体に記憶されたマシン実行可能命令を備えたコンピュータプログラムであって、前記マシン実行可能命令の実行により、前記プロセッサは、
ＭＲＦパルスシーケンスコマンドで前記磁気共鳴イメージングシステムを制御することにより、関心領域を記述するＭＲＦ磁気共鳴データを取得し、前記ＭＲＦパルスシーケンスコマンドは、前記磁気共鳴イメージングシステムを制御して、磁気共鳴フィンガプリンティングプロトコルに従って、ＭＲＦ磁気共鳴データを取得し、前記関心領域は、ボクセルに分割され、
前記ＭＲＦ磁気共鳴データを使用して、前記ボクセルの各々のＭＲＦ信号を構成し、
前記ＭＲＦ信号を、前記ボクセルの各々の時間周波数スペクトル分布に時間フーリエ変換することにより、フーリエ変換されたＭＲＦ信号を構成し、
前記フーリエ変換されたＭＲＦ信号と、フーリエ変換された磁気共鳴フィンガプリンティング辞書とを使用して、前記ボクセルの各々の少なくとも１つの固有の特性を決定し、前記フーリエ変換された磁気共鳴フィンガプリンティング辞書は、前記少なくとも１つの固有の特性のエントリを備え、前記フーリエ変換されたＭＲＦ信号は、前記少なくとも１つの固有の特性を決定する前に、時間周波数領域で、所定のターム数に切り捨てられる、コンピュータプログラム。